【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ラップトップモードとタブレットモードとの間で変換可能なコンピューティング装置であって、
キーボードを含むベース部と、
表示画面を含む表示部と、
ユーザによって前記コンピューティング装置上で行われたタッピングジェスチャを検出するように構成された加速度計と、
前記コンピューティング装置が前記ラップトップモードにあるかまたは前記タブレットモードにあるかを判断するように構成されたモードセンサと、
当該センサに対する人的入力に応答して、前記コンピューティング装置の動作状態を変更するように構成された第１の物理的人的入力センサと、
当該センサに対する人的入力に応答して、前記コンピューティング装置の動作状態を変更するように構成された第２の物理的人的入力センサとを備え、
前記コンピューティング装置が前記ラップトップモードにあると判断された場合、前記コンピューティング装置の前記動作状態を変更できるように、前記第２の物理的人的入力センサを有効にし、
前記コンピューティング装置が前記タブレットモードにあると判断された場合、前記コンピューティング装置の動作状態を変更できないように、前記第１および前記第２の物理的人的入力センサを無効にし、前記加速度計によって検出された前記表示画面上で行われた複数の異なるタッピングジェスチャを用いて、前記コンピューティング装置の前記動作状態を変更する、コンピューティング装置。
【請求項２】
前記コンピューティング装置の前記動作状態を変更することは、前記動作状態を画面アンロック状態と画面ロック状態との間で変更することを含む、請求項１に記載のコンピューティング装置。
【請求項３】
前記第１の物理的人的入力センサは、当該センサに対する人的入力に応答して、前記動作状態を全電力状態と低電力スリープ状態との間で変更するようにさらに構成されている、請求項２に記載のコンピューティング装置。
【請求項４】
前記第１の物理的人的入力センサは、当該センサに対する第１の持続時間の人的入力に応答して前記コンピューティング装置の前記動作状態をオフ状態と非オフ状態との間で変更するように構成され、当該センサに対する第２の持続時間の人的入力に応答して前記動作状態を全電力状態と低電力スリープ状態との間で変更するように構成されている、請求項３に記載のコンピューティング装置。
【請求項５】
前記コンピューティング装置の前記動作状態を変更することは、前記動作状態を全電力状態と低電力スリープ状態との間で変更することを含む、請求項１から４のいずれか１項に記載のコンピューティング装置。
【請求項６】
前記第１の物理的人的入力センサは、当該センサに対する人的入力に応答して、前記動作状態を画面アンロック状態と画面ロック状態との間で変更するようにさらに構成されている、請求項５に記載のコンピューティング装置。
【請求項７】
前記第１の物理的人的入力センサは、当該センサに対する第１の持続時間の人的入力に応答して、前記コンピューティング装置の前記動作状態をオフ状態と非オフ状態との間で変更するように構成され、当該センサに与えられた第２の持続時間の人的入力に応答して、前記動作状態を画面アンロック状態と画面ロック状態との間で変更するように構成されている、請求項６に記載のコンピューティング装置。
【請求項８】
前記第１の物理的人的入力センサは、前記ベース部の縁部または前記表示部の縁部に設けられたボタンを含む、請求項１から７のいずれか１項に記載のコンピューティング装置。
【請求項９】
前記第２の物理的人的入力センサは、前記ベース部上のボタンを含む、請求項１から８のいずれか１項に記載のコンピューティング装置。
【請求項１０】
前記第２の物理的人的入力センサは、前記キーボード上のキーを含む、請求項１から９のいずれか１項に記載のコンピューティング装置。
【請求項１１】
前記ベース部と前記表示部とを接続するためのヒンジをさらに備える、請求項１から１０のいずれか１項に記載のコンピューティング装置。
【請求項１２】
前記モードセンサは、前記ベース部および前記表示部の一方に設けられた磁石と、前記ベース部および前記表示部の他方に設けられた磁気センサとを備え、
前記磁気センサは、前記磁石と前記磁気センサとの近接度に基づいて、前記コンピューティング装置のモードを判断するように構成されている、請求項１から１１のいずれか１項に記載のコンピューティング装置。
【請求項１３】
前記モードセンサは、前記ベース部に設けられた第１の加速度計と、前記表示部に設けられた第２の加速度計とを含み、
前記加速度計は、前記第１の加速度計および前記第２の加速度計によって検出される加速度方向の比較に基づいて、前記コンピューティング装置のモードを判断するように構成されている、請求項１から１１のいずれか１項に記載のコンピューティング装置。
【請求項１４】
前記加速度計によって検出され、前記コンピューティング装置の前記動作状態を変更するために使用される前記タッピングジェスチャは、所定の時間内に所定数のタッピングジェスチャのシーケンスを含み、
前記シーケンス内の前記タッピングジェスチャの各々は、前記加速度計に、閾値振幅を超える振幅を有する信号を生成させる、請求項１から１３のいずれか１項に記載のコンピューティング装置。
【請求項１５】
方法であって、
コンバーチブル型コンピューティング装置がラップトップモードまたはタブレットモードで動作しているか否かを判断することと、
前記コンバーチブル型コンピューティング装置が前記タブレットモードで動作していると判断された場合に、前記コンバーチブル型コンピューティング装置に設けられた第１および第２の物理的人的入力センサを、当該センサに与えられた人的入力に応答して前記コンバーチブル型コンピューティング装置の動作状態を変更できないように無効にすることとを含み、
前記コンバーチブル型コンピューティング装置が前記ラップトップモードであると判断された場合に、前記第１および第２の物理的人的入力センサは、前記コンバーチブル型コンピューティング装置の前記動作状態を変更できるよう有効にされ、
前記方法は、さらに、前記コンバーチブル型コンピューティング装置が前記タブレットモードで動作していると判断された場合に、
ユーザによって前記コンバーチブル型コンピューティング装置の表示部の表示画面上で行われるタッピングジェスチャを検出することと、
前記タッピングジェスチャに応答して、前記コンバーチブル型コンピューティング装置の前記動作状態を変更することとを含む、方法。
【請求項１６】
前記コンバーチブル型コンピューティング装置の前記動作状態を変更することは、画面アンロック状態と画面ロック状態との間で前記動作状態を変更することを含む、請求項１５に記載の方法。
【請求項１７】
前記第１および第２の物理的人的入力センサのうちの一つは、前記コンバーチブル型コンピューティング装置のベース部に設けられたキーボード上のキーを含む、請求項１５または１６に記載の方法。
【請求項１８】
前記コンバーチブル型コンピューティング装置の前記動作状態を変更するために使用される前記タッピングジェスチャは、所定の時間内に所定数のタッピングジェスチャのシーケンスを含み、
前記シーケンス内の前記タッピングジェスチャの各々は、前記コンバーチブル型コンピューティング装置の加速度計に、閾値振幅を超える振幅を有する信号を生成させる、請求項１５から１７のいずれか１項に記載の方法。
【請求項１９】
前記コンバーチブル型コンピューティング装置が前記タブレットモードで動作していると判断された場合、前記コンバーチブル型コンピューティング装置の前記表示画面を変更できないように前記コンバーチブル型コンピューティング装置のベース部に設けられたキーボードを無効にすることをさらに含む、請求項１５から１８のいずれか１項に記載の方法。
【請求項２０】
前記コンバーチブル型コンピューティング装置が前記ラップトップモードで動作していると判断された場合、
前記コンバーチブル型コンピューティング装置の動作状態を変更できるように、前記コンバーチブル型コンピューティング装置に設けられた前記物理的人的入力センサのうちの１つを有効にすることと、
前記コンバーチブル型コンピューティング装置が前記タッピングジェスチャに応答して前記動作状態を変更できないようにすることとをさらに含む、請求項１５から１９のいずれか１項に記載の方法。
【請求項２１】
請求項１５から２０のいずれか１項に記載の方法をコンピュータに実行されるためのプログラム。